(57)【要約】【課題】  多くのユーザから情報の要求を受け付けて送信することを可能とする情報送信システムを提供すること。【解決手段】  この情報送信システム１は、携帯電話機１０を特定するための端末ＩＤと、携帯電話機１０を使用するユーザが設定するコード情報とを赤外線通信によって受信する赤外線受信部２１と、受信した端末ＩＤとコード情報とを、携帯電話機１０のメールアドレスを格納するアドレス管理装置４０に送信する端末情報送信部３２と、送信に応じてアドレス管理装置４０から返信される携帯電話機１０のメールアドレスを受信するアドレス受信部３３と、受信したメールアドレスへ情報を送信する情報送信部３４とを備える。【選択図】  図１
2006126967.tif 000002
【特許請求の範囲】
【請求項１】
通信端末を特定するための端末ＩＤと、当該通信端末を使用するユーザが設定するコード情報とを赤外線通信によって受信する赤外線受信手段と、
当該受信した端末ＩＤとコード情報とを、前記通信端末のメールアドレスを格納するアドレス管理装置に送信する端末情報送信手段と、
当該送信に応じて前記アドレス管理装置から返信される前記通信端末のメールアドレスを受信するアドレス受信手段と、
当該受信したメールアドレスへ情報を送信する情報送信手段と、
を備える情報送信システム。
【請求項２】
前記端末情報送信手段が送信する端末ＩＤとコード情報とを受信する受信手段と、
予め格納されている端末ＩＤとコード情報とに基づいて、前記受信手段が受信したコード情報が有効か否かを判断する有効性判断手段と、
当該判断の結果が有効である旨のものである場合に、前記受信手段が受信した端末ＩＤに対応させて格納されているメールアドレスを選択する選択手段と、
当該選択したメールアドレスを前記アドレス受信手段に送信するアドレス送信手段と、を備える請求項１に記載の情報送信システム。
【請求項３】
前記通信端末から送信される、当該通信端末を特定するための端末ＩＤと当該通信端末を使用するユーザが設定するコード情報と、を受信するコード受信手段と、
当該受信した端末ＩＤ及びコード情報を相互に関連付けて格納するコード格納手段と、を備える請求項１又は２に記載の情報送信システム。
【請求項４】
前記コード情報には当該コード情報の有効期限が設定されており、前記有効性判断手段は当該設定されている有効期限に基づいてコード情報の有効性を判断する、請求項１〜３のいずれか１項に記載の情報送信システム。
【請求項５】
情報提供装置から送信される、通信端末を特定するための端末ＩＤと当該通信端末を使用するユーザが設定するコード情報と、を受信する受信手段と、
予め格納されている端末ＩＤとコード情報とに基づいて、前記受信手段が受信したコード情報が有効か否かを判断する有効性判断手段と、
当該判断の結果が有効である旨のものである場合に、前記受信手段が受信した端末ＩＤに対応させて格納されているメールアドレスを選択する選択手段と、
当該選択したメールアドレスを前記情報提供装置に送信するアドレス送信手段と、
を備えるアドレス管理装置。
【請求項６】
前記通信端末から送信される、当該通信端末を特定するための端末ＩＤと当該通信端末を使用するユーザが設定するコード情報と、を受信するコード受信手段と、
当該受信した端末ＩＤ及びコード情報を相互に関連付けて格納するコード格納手段と、を備える請求項５に記載のアドレス管理装置。
【請求項７】
前記コード情報には当該コード情報の有効期限が設定されており、前記有効性判断手段は当該設定されている有効期限に基づいてコード情報の有効性を判断する、請求項５又は６に記載のアドレス管理装置。
【発明の詳細な説明】
【技術分野】
【０００１】
本発明は、情報送信システム及びアドレス管理装置に関する。
【背景技術】
【０００２】
利用者が求める情報を利用者が使用する機器に配信する手法として、放送によるものや、Ｗｅｂ等を利用した通信によるものがある。また、放送による情報配信と通信による情報配信とを融合させた情報配信方法の提案がなされている（下記特許文献１参照）。
【０００３】
特許文献１に記載されている技術では、テレビの受像機がユーザから情報の要求を受け付けると、受像機のＩＤとメールアドレスを関連付けるデータベースによりメールアドレスを特定し、そのメールアドレスへ情報を付加して送信している。
【特許文献１】特開２００３−１２２６７９号公報
【発明の開示】
【発明が解決しようとする課題】
【０００４】
上記特許文献１に記載の技術では、ユーザから情報の要求を受け付ける受像機に対して、予め、情報の送信先となるメールアドレスが一対一で特定されている。従って、受像機が多くのユーザから情報の要求を受付け、それぞれのユーザに対して情報を送信することができない。
【０００５】
そこで本発明は、多くのユーザから情報の要求を受け付けて送信することを可能とする情報送信システム及びアドレス管理装置を提供することを課題とする。
【課題を解決するための手段】
【０００６】
本発明の情報送信システムは、通信端末を特定するための端末ＩＤと、通信端末を使用するユーザが設定するコード情報とを赤外線通信によって受信する赤外線受信手段と、受信した端末ＩＤとコード情報とを、通信端末のメールアドレスを格納するアドレス管理装置に送信する端末情報送信手段と、受信に応じてアドレス管理装置から返信される通信端末のメールアドレスを受信するアドレス受信手段と、受信したメールアドレスへ情報を送信する情報送信手段とを備える。
【０００７】
本発明の情報送信システムによれば、指向性を持った赤外線通信によって端末ＩＤとコード情報を受信するので、ユーザが意図した方向にある赤外線受信手段がそれらの情報を受信することができる。また、受信した端末ＩＤとコード情報に基づいて、アドレス管理サーバ装置からメールアドレスを取得するので、端末ＩＤとコード情報に対応する通信端末のメールアドレスを取得することができる。また、受信したメールアドレスへ情報を送信するので、通信端末からメールアドレスを直接取得しなくても情報の送信が可能となる。
【０００８】
また、本発明の情報送信システムは、端末情報送信手段が送信する端末ＩＤとコード情報とを受信する受信手段と、予め格納されている端末ＩＤとコード情報とに基づいて、受信手段が受信したコード情報が有効か否かを判断する有効性判断手段と、判断の結果が有効である旨のものである場合に、受信手段が受信した端末ＩＤに対応させて格納されているメールアドレスを選択する選択手段と、選択したメールアドレスを前記アドレス受信手段に送信するアドレス送信手段とを備えることも好ましい。
【０００９】
この好ましい態様によれば、受信したコード情報が有効であると判断した場合にメールアドレスを送信するので、例えば、既に無効となっているコード情報を取得した第三者が当該ユーザのメールアドレスを取得する可能性を抑制できる。
【００１０】
また、本発明の情報送信システムは、通信端末から送信される、通信端末を特定するための端末ＩＤと通信端末を使用するユーザが設定するコード情報と、を受信するコード受信手段と、受信した端末ＩＤ及びコード情報を相互に関連付けて格納するコード格納手段と、を備えることが好ましい。
【００１１】
この好ましい態様によれば、受信した端末ＩＤ及びコード情報を相互に関連付けて格納するので、ユーザの送信行為に起因したコード情報の設定が可能となる。例えば、ユーザが適宜コード情報を設定し直すことで、コード情報を取得した第三者が不正にメールアドレスを取得する可能性を抑制できる。
【００１２】
また、本発明の情報送信システムにおいて、コード情報にはコード情報の有効期限が設定されており、有効性判断手段は設定されている有効期限に基づいてコード情報の有効性を判断することも好ましい。この好ましい態様によれば、ユーザがコード情報の有効期限を設定できるので、有効期限を過ぎたコード情報を無効なものであるとして取り扱うことができる。
【００１３】
本発明によるアドレス管理装置は、情報提供装置から送信される、通信端末を特定するための端末ＩＤと通信端末を使用するユーザが設定するコード情報と、を受信する受信手段と、予め格納されている端末ＩＤとコード情報とに基づいて、受信手段が受信したコード情報が有効か否かを判断する有効性判断手段と、判断の結果が有効である旨のものである場合に、受信手段が受信した端末ＩＤに対応させて格納されているメールアドレスを選択する選択手段と、選択したメールアドレスを情報提供装置に送信するアドレス送信手段と、を備える。
【００１４】
本発明のアドレス管理装置によれば、受信したコード情報が有効であると判断した場合にメールアドレスを送信するので、例えば、既に無効となっているコード情報を取得した第三者が当該ユーザのメールアドレスを取得する可能性を抑制できる。
【００１５】
また、本発明によるアドレス管理装置は、通信端末から送信される、通信端末を特定するための端末ＩＤと通信端末を使用するユーザが設定するコード情報と、を受信するコード受信手段と、受信した端末ＩＤ及びコード情報を相互に関連付けて格納するコード格納手段と、を備えることも好ましい。
【００１６】
この好ましい態様によれば、受信した端末ＩＤ及びコード情報を相互に関連付けて格納するので、ユーザの送信行為に起因したコード情報の設定が可能となる。例えば、ユーザが適宜コード情報を設定し直すことで、コード情報を取得した第三者が不正にメールアドレスを取得する可能性を抑制できる。
【００１７】
また、本発明によるアドレス管理装置において、コード情報にはコード情報の有効期限が設定されており、有効性判断手段は設定されている有効期限に基づいてコード情報の有効性を判断することも好ましい。この好ましい態様によれば、ユーザがコード情報の有効期限を設定できるので、有効期限を過ぎたコード情報を無効なものであるとして取り扱うことができる。
【発明の効果】
【００１８】
本発明によれば、個々のユーザが使用する通信端末からの要求に応じてその通信端末のメールアドレスを取得して情報を送信するので、多くのユーザから情報の要求を受け付けて送信することが可能となる。
【発明を実施するための最良の形態】
【００１９】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２０】
本実施形態の情報送信システムについて図１を参照しながら説明する。図１は、本実施形態の情報送信システム１の構成を示す図である。情報送信システム１は、携帯電話機１０（通信端末）と、広告装置２０と、情報送信装置３０と、アドレス管理装置４０と、を備えている。情報送信装置３０とアドレス管理装置４０とは、インターネットまたは、広域の通信網５０を介して互いに情報の送受信を行うことができるように構成されている。情報送信装置３０はまた、インターネットまたは、広域の通信網５０を介して携帯電話機１０に情報の送信を行うことができるように構成されている。一方、アドレス管理装置４０は図示しない携帯電話網に実質的に属する装置であって、携帯電話機１０と携帯電話網を介して情報の送受信を行うことができるように構成されている。広告装置２０と情報送信装置３０とは、専用線やインターネットといった通信手段を介して互いに情報の送受信を行うことができるように構成されている。引き続いて、情報送信システム１を構成する各装置について説明する。
【００２１】
携帯電話機１０は通話と共に情報の送受信が可能な移動局であって、図示しない携帯電話網における識別情報として端末ＩＤが割り当てられている。この端末ＩＤはアドレス管理装置４０で管理され、各携帯電話機にユニークに付けられるものであり、携帯電話機１０の電話番号や、メールアドレスとは異なったものにできる情報であって、広告装置２０や情報送信装置３０に対して開示可能な情報である。
【００２２】
携帯電話機１０は、物理的には、ＣＰＵ、メモリー、電源、パワーアンプ、周波数変換チップ、アンテナ、及び入出力インターフェイス部といった要素から構成される情報通信装置である。
【００２３】
携帯電話機１０は、機能的な構成要素として、赤外線送信部１１と、コード送信部１２と、情報受信部１３とを備えている。引き続いて、携帯電話機１０の各構成要素について説明する。
【００２４】
赤外線送信部１１は、通信端末１０の端末ＩＤとコード情報を、広告装置２０に赤外線通信によって送信する部分である。コード情報とは、この携帯電話機１０のユーザが任意に設定できる情報であって、英数字を組み合わせた情報等が採用される。このコード情報は、図示しない入力ボタン等を利用して携帯電話機１０のユーザが入力するものである。
【００２５】
コード送信部１２は、端末ＩＤと、メールアドレスと、コード情報と、コード情報の有効期限とを携帯電話網を介してアドレス管理装置４０に送信する部分である。
【００２６】
情報受信部１３は、情報送信装置３０から送信される広告情報を受信する部分である。情報受信部１３が受信した広告情報は図示しない表示部に表示され、携帯電話機１０のユーザがその広告情報を閲覧することができる。
【００２７】
引き続いて広告装置２０について説明する。広告装置２０は街頭等に広告ポスター等と共に設置される装置である。広告装置２０は、物理的には、ＣＰＵ、メモリー、入出力インターフェイス部、及び電源等の一般的な情報通信装置を構成する要素に加えて、赤外線受光機構、情報通信機構といった要素から構成される情報通信装置である。
【００２８】
広告装置２０は、機能的な構成要素として、赤外線受信部２１（赤外線受信手段）と、端末情報転送部２２と、を備えている。引き続いて、広告装置２０の各構成要素について説明する。
【００２９】
赤外線受信部２１は、携帯電話機１０の赤外線送信部１１から赤外線通信によって送信される、端末ＩＤとコード情報とを受信する部分である。赤外線受信部２１は受信した端末ＩＤとコード情報とを端末情報転送部２２へ出力する。
【００３０】
端末情報転送部２２は、赤外線受信部２１が受信した、端末ＩＤとコード情報とを情報送信装置３０に送信する部分である。
【００３１】
引き続いて情報送信装置３０について説明する。情報送信装置３０は広告装置２０と共に設置されているポスター等の情報を提供する業者が管理する装置である。情報送信装置３０は、物理的には、ＣＰＵ、メモリー、入出力インターフェイス部、及び電源等の一般的な情報通信装置を構成する要素に加えて、情報通信機構といった要素から構成される情報通信装置である。
【００３２】
情報送信装置３０は、機能的な構成要素として、端末情報受信部３１と、端末情報送信部３２（端末情報送信手段）と、アドレス受信部３３（アドレス受信手段）と、情報送信部３４（情報送信部）とを備えている。引き続いて、情報送信装置３０の各構成要素について説明する。
【００３３】
端末情報受信部３１は、広告装置２０の端末情報転送部２２によって送信される、端末ＩＤとコード情報とを受信する部分である。端末情報受信部３１は受信した端末ＩＤとコード情報とを、端末情報送信部３２に出力する。
【００３４】
端末情報送信部３２は、端末情報受信部３１が受信した、端末ＩＤとコード情報とをアドレス管理装置４０に送信する部分である。
【００３５】
アドレス受信部３３は、端末情報送信部３２が送信した端末ＩＤ及びコード情報に応じて、アドレス管理装置４０から返信される通信端末１０のメールアドレスを受信する部分である。アドレス受信部３３は受信したメールアドレスを情報送信部３４に出力する。
【００３６】
情報送信部３４は、予め格納された広告情報を、アドレス受信部３３が受信した携帯電話機１０のメールアドレス宛てに送信する。広告情報とは、広告装置と共に設置されているポスターといった広告に関連する情報であって、そのポスターに掲載されている商品のサイトのアドレスといった情報が含まれる。
【００３７】
引き続いてアドレス管理装置４０について説明する。アドレス管理装置４０は、物理的には、ＣＰＵ、メモリー、ハードディスクといった格納部、入出力インターフェイス部、及び電源等の一般的な情報通信装置を構成する要素に加えて、情報通信機構といった要素から構成される情報通信装置である。
【００３８】
アドレス管理装置４０は、機能的な構成要素として、受信部４１（受信手段）と、有効性判断部４２（有効性判断手段）と、選択部４３（選択手段）と、アドレス送信部４４（アドレス送信手段）と、コード受信部４６（コード受信手段）と、コード格納部４５（コード格納手段）とを備えている。引き続いて、アドレス管理装置４０の各構成要素について説明する。
【００３９】
受信部４１は、情報送信装置３０の端末情報送信部３２によって送信される、端末ＩＤとコード情報とを受信する部分である。受信部４１は受信した端末ＩＤとコード情報とを有効性判断部４２に出力する。
【００４０】
有効性判断部４２は、コード格納部４５に格納された端末ＩＤとコード情報とコード情報の有効期限に基づいて、受信部４１が受信したコード情報が有効か否かを判断する部分である。コード格納部４５に格納されている情報の例を図２を参照しながら説明する。
【００４１】
図２に示す例に拠れば、コード格納部４５には、「端末ＩＤ」「メールアドレス」「コード情報」「有効期限」がそれぞれ関連付けられて格納されている。有効性判定部４２は、受信部４１から出力された端末ＩＤとコード情報の組み合わせがコード格納部４５に格納されているか判断する。端末ＩＤとコード情報の組み合わせが格納されていない場合には、有効性判断部４２は受信部４１から出力されたコード情報が無効なものであると判断し、以降の処理を中止する。
【００４２】
有効性判定部４２は、端末ＩＤとコード情報の組み合わせがコード格納部４５に格納されている場合には、その端末ＩＤ及びコード情報に関連付けられた有効期限に基づいてコード情報の有効性を判断する。より具体的に、２００４年８月１７日に、端末ＩＤとしてＢ３１４５、コード情報としてｂｂｂｂをそれぞれ関連付けて受信した場合を例にとって説明する。この場合、受信した端末ＩＤ及びコード情報の組み合わせはコード格納部４５に格納されており、受信日である２００４年８月１７日が、対応する有効期限日である２００４年８月２０日以前の日であるので、有効性判断部４２は受信したコード情報は有効であると判断する。図１に戻って、有効性判断部４２は、コード情報が有効であると判断すると、選択部４３に端末ＩＤを出力する。
【００４３】
選択部４３は、出力された端末ＩＤに関連づけられてコード格納部４５に格納されたメールアドレスを選択し、アドレス送信部４４に出力する。アドレス送信部４４は、選択部４３が選択したメールアドレスを情報送信装置３０に送信する。
【００４４】
コード受信部４６は、端末ＩＤに関連付けて、メールアドレス、コード情報、及びコード情報の有効期限の少なくともいずれか一つの情報を受信する部分である。コード受信部４６は、受信した端末ＩＤに対応させて、受信したメールアドレス、コード情報、及び有効期限の少なくともいずれかをコード格納部４５に格納する。図２に示した例では、最初に端末ＩＤ、メールアドレス、コード情報、及び有効期限をコード受信部４６が受信して格納した状態を示している。その後、端末ＩＤがＡ０１２３の携帯電話機から、その端末ＩＤと関連付けて有効期限を２００４年８月３０日にする情報を受信すると、コード受信部４６は有効期限を２００４年８月１６日から２００４年８月３０日に更新して格納する。
【００４５】
引き続いて、情報送信システム１の動作について説明する。図３は、情報送信システム１の動作を示すシーケンス図である。
【００４６】
まず、情報送信システム１において、端末ＩＤと、メールアドレスと、コード情報と、有効期限とを登録する動作について説明する。携帯電話機１０の端末ＩＤと、メールアドレスと、ユーザが設定したコード情報と、コード情報の有効期限とが、携帯電話機１０のコード送信部１１からアドレス管理装置４０に送信される（Ｓ１０）。
【００４７】
アドレス管理装置４０において、端末ＩＤと、メールアドレスと、コード情報と、有効期限とが、コード受信部４６によって受信されると、コード格納部４５に関連づけて格納される（Ｓ１１）。よって、端末ＩＤと、メールアドレスと、コード情報と、有効期限が情報送信システムに登録される。
【００４８】
続いて、情報送信システム１において、携帯電話機１０から広告情報の要求を受け、携帯電話機１０に広告情報を送信する動作について説明する。
【００４９】
携帯電話機１０の赤外線送信部１１から、端末ＩＤとコード情報が、広告装置２０に送信される（Ｓ１２）。端末ＩＤとコード情報が、赤外線受信部２１によって受信されると、端末情報転送部２２によって情報送信装置３０に送信される（Ｓ１３）。
【００５０】
端末情報送信装置３０において、端末ＩＤとコード情報が、端末情報受信部３１によって受信されると、端末情報送信部３２によってアドレス管理装置４０へ送信される（Ｓ１４）。
【００５１】
アドレス管理装置４０において、端末ＩＤとコード情報が、受信部４１によって受信されると、受信部４１によって受信された端末ＩＤとコード情報が、有効性判断部４２によって、コード情報が有効か否か判断される（Ｓ１５）。有効性判断部４２によって、コード情報が有効であると判断されると、受信した端末ＩＤに対応するメールアドレスが選択部４３によって選択される（Ｓ１６）。
【００５２】
選択部４３によって、メールアドレスが選択されると、選択部４３によって選択されたメールアドレスが、アドレス送信部４４によって、情報送信装置３０に送信される（Ｓ１７）。情報送信装置３０において、メールアドレスがアドレス受信部３３によって受信されると、アドレス受信部３３によって受信されたメールアドレス宛てに、情報送信装置３０に予め格納された広告情報が、情報送信部３４によって送信される（Ｓ１８）。
【００５３】
情報送信部３４によって送信された広告情報が、通信端末１０によって受信され、通信端末１０は、広告情報を取得することができる。
【００５４】
続いて、本実施形態にかかる情報送信システムの作用効果について説明する。個々のユーザが使用する通信端末から端末ＩＤとコード情報を受信すると、その通信端末のメールアドレスを取得して情報を送信するので、多くのユーザから情報の要求を受け付けて送信することが可能となる。
【図面の簡単な説明】
【００５５】
【図１】本実施形態である情報送信システムの構成を示した図である。
【図２】コード格納部に格納されたデータベースの構成を示した図である。
【図３】本実施形態である情報送信システムの動作を説明するためのシーケンス図である。
【符号の説明】
【００５６】
１０・・・携帯電話機、１１・・・赤外線送信部、１２・・・コード送信部、１３・・・情報受信部、２０・・・広告装置、２１・・・赤外線受信部、２２・・・端末情報転送部、３０・・・情報送信装置、３１・・・端末情報受信部、３２・・・端末情報送信部、３３・・・アドレス受信部、３４・・・情報送信部、４０・・・アドレス管理装置、４１・・・受信部、４２・・・有効性判断部、４３・・・選択部、４４・・・アドレス送信部、４５・・・コード格納部、４６・・・コード受信部。
【図１】
2006126967.tif 000003
【図２】
2006126967.tif 000004
【図３】
2006126967.tif 000005